(57)【要約】【課題】突出ロッドの位置検出スイッチのホルダーを可動盤の上面部に取付けることで、可動盤上がカバーの前縁部により覆われていても、前進限位置を検出する前スイッチの位置変更をスイッチを看ながら容易に行えるようにする。【解決手段】可動盤１１に進退自在に挿通した突出ロッド１２と、突出ロッド１２の基端部に立設したスイッチ作動部材１５と、スイッチ作動部材１５の両側前後に交互に配設した一対の位置検出用のスイッチ１９，２０とからなる。前後スイッチの両方のホルダー２１，２２をスイッチ作動部材１５の移動スペースを空けて可動盤１１の上面部から背面上に並設する。一方のホルダー２１に突出ロッドの前進限位置を検出する前スイッチ１９を横スライド自在に止着する。ホルダー２２に後退限位置を検出する後スイッチ２０を固着して両スイッチを可動盤上に設置する。【選択図】    図１
2004160680.tif 000002
【特許請求の範囲】
【請求項１】
可動盤に進退自在に挿通した突出ロッドと、突出ロッドの基端部に立設したスイッチ作動部材と、スイッチ作動部材の両側前後に交互に配設した位置検出用の一対のスイッチとからなり、その前後スイッチの両方のホルダーを、スイッチ作動部材の移動スペースを空けて可動盤の上面部から背面上に並設し、その何れか一方のホルダーに突出ロッドの前進限位置を検出する前スイッチを横スライド自在に止着し、他方のホルダーに後退限位置を検出する後スイッチを固着して、両スイッチを可動盤上に設置してなることを特徴とする型締装置の成形品突出装置。
【請求項２】
上記前スイッチのホルダーは、台座上に形成した横長の縦板に長穴の調節穴を穿設したものからなり、その内側に摺動自在に嵌合した座板を外側から調節穴を通して設けた固定ねじ２６によりねじ着し、その座板に前スイッチを取付けて台座により可動盤の上面にビス止めしてなることを特徴とする請求項１記載の型締装置の成形品突出装置。
【発明の詳細な説明】
【０００１】
【発明の属する技術分野】
この発明は、成形機の型締機構が備える金型内の成形品の突出装置に関するものである。
【０００２】
【従来の技術】
従来の突出装置では、突出ロッドの進退位置を検出する近接スイッチや位置検出器等を、可動盤の型取付面とは反対側に配設したエジェクタプレートなどに設けている（特許文献１参照）。
【０００３】
【特許文献１】
実開平３−１２４８１６号公報（第１頁、第７図）。
【０００４】
【発明が解決しようとする課題】
射出装置と型締装置とから構成されている樹脂の成形機では、型締装置の成形作業部を除いて全体をカバーにより被覆している。また成形作業部にも安全ドアを取付けて、稼働中に安全ドアを開放すると自動的に成形動作が停止するようにしている。
【０００５】
図５に示すように、型締装置１のカバー２は可動盤３の後退限位置まで施されており、また安全ドア４は後端縁をカバー２の前端縁にオーバーラップさせて固定盤５の側面まで設けられて、その前端縁がカバー２の前端縁に重なる所まで開放できるようにしてある。このため引用文献１に記載のように、突出ロッドの突出ストロークを設定する位置検出器等を、可動盤の型取付面の反対側（背面側）に設けると、位置検出器の設定位置を金型の交換ごとに調整することがカバーによって難しくなり、位置検出器等の位置調整を行うためにはカバーを取外すか、またはカバーに位置調整用の窓穴を設けておく必要がある。
【０００６】
また図に示すように、突出ロッド６の前進限位置と後退限位置を検出する前後スイッチ７，８を、可動盤３の背面上部に突設したバー９に挿通固定し、位置調整が必要な前スイッチ７のみ、カバー２と可動盤３との隙間から手を差込んで回転操作ができるノブ付きの蝶ねじにより固定して、前進限位置の位置調整を行えるようにしたものもある。しかし、この場合には、前部スイッチ７が可動盤３により隠れて隙間から見え難くいので、前部スイッチ７の位置調整は手探りとなり、調整に時間を要するようになる。
【０００７】
この発明は、上記従来の課題を解決するために考えられたものであって、その目的は、位置検出用のスイッチのホルダーの取付位置を、可動盤の上面部とすることによって、可動盤上がカバーの前縁部により覆われていても、前進限位置を検出する前スイッチの位置変えをスイッチを看ながら行え、これにより僅かな位置調整も短時間で容易に行い得る新たな成形機の成形品突出装置を提供することにある。
【０００８】
【課題を解決するための手段】
上記目的によるこの発明は、可動盤に進退自在に挿通した突出ロッドと、突出ロッドの基端部に立設したスイッチ作動部材と、スイッチ作動部材の両側前後に交互に配設した位置検出用の一対のスイッチとからなり、その前後スイッチの両方のホルダーを、スイッチ作動部材の移動スペースを空けて可動盤の上面部から背面上に並設し、その何れか一方のホルダーに突出ロッドの前進限位置を検出する前スイッチを横スライド自在に止着し、他方のホルダーに後退限位置を検出する後スイッチを固着して、両スイッチを可動盤上に設置してなるというものである。
【０００９】
また上記前スイッチのホルダーは、台座上に形成した横長の縦板に長穴の調節穴を穿設したものからなり、その内側に摺動自在に嵌合した座板を外側から調節穴を通して設けた固定ねじによりねじ着し、その座板に前スイッチを取付けて台座により可動盤の上面にビス止めしてなるというものである。
【００１０】
【発明の実施の形態】
この発明の１実施形態を図１〜図４により詳説する。
図中１１は可動盤、１２は突出ロッドで、可動盤１１の背面中央に固着した型締ラム１３の連結ブロック１４の内部から、可動盤１１の中央部に進退自在に挿通して設けられている。
【００１１】
１５は直角に折曲した金属板によるスイッチ作動部材で、一板面の端部両側に外側に折曲して形成した左右一対のスイッチの近接片１５ａ，１５ｂを有し、その近接片１５ａ，１５ｂが、突出ロッド１２と並行に位置して共に移動するように、連結ブロック１４の上部に設けた割り溝１４ａに縦に収めて、突出ロッド１２の基端部に取付けた支持ポスト１６の上端に、他板面を連結して突出ロッド１２に立設してある。支持ポスト１６は突出ロッド１２の基端部と上部のガイドロッド１７とに挿通して、型締ラム１３の先端部内の突出ピストン１８の端部により垂直に挟着して突出ロッド１２に固定してある。
【００１２】
１９，２０は突出ロッド１２の前進限位置と後退限位置とを検出する近接スイッチによる前後一対のスイッチである。２１，２２はスイッチのホルダーで、スイッチ作動部材１５の移動スペースを空けて可動盤２の上面部から背面上に並設してある。この一対のホルダー２１，２２のうち、一方のホルダー２１は台座２３の一端部上に直角に形成した横長の縦板に長穴の調節穴２４を穿設したものからなり、その台座２３を可動盤１１の上面に上辺と並行にビス止めして、上面部から背面上に設けてある。またホルダー２１の外側面には長穴の調節穴２４に沿って位置決め用の目盛りが施してある。
【００１３】
このホルダー２１の内側には前進限位置を検出する上記前スイッチ１９の座板２５が摺動自在に嵌合してあり、その座板２５にノブ付きの固定ねじ２６が外側から調節穴２４を通してねじ着してある。また他方のホルダー２２は固定片２２ａの一端側面に直角に折曲形成した腕板からなり、その固定片２２ａを可動盤１１の背面上部に止着して、一方のホルダー２１と共に可動盤１１の背面上に並設してある。
【００１４】
上記前スイッチ１９と後スイッチ２０は、スイッチ作動部材１５の先端両側に位置する上記近接片１５ａ，１５ｂが、突出ロッド１２の前進限位置と後退限位置とでそれぞれ臨むように、ホルダー２１の座板２５とホルダー２２の後端部とにそれぞれ内向きに位置をずらせて交互に取付けられている。
【００１５】
上記構成では、突出ロッド１２と共にスイッチ作動部材１５が進退移動する。これにより先端両側の接近片１５ａ，１５ｂも進退移動し、片側の接近片１５ａが前スイッチ１９の作動距離内に入ると、突出ロッド１２の前進限位置が検出されて停止する。また他側の接近片１５ａが後スイッチ２０の作動距離内に入ると、突出ロッド１２の後退限位置が検出されて停止する。したがって、突出ロッド１２の突出ストロークはスイッチ間距離によって定まることになり、スイッチ間距離の変更により突出ストロークも変わる。
【００１６】
このスイッチ間距離の変更は、前スイッチ１９の設定位置を前後に横スライドして変えることにより行い得る。前スイッチ１９のホルダー２１は可動盤１１の上面部に止着して背面上に設けられていることから、可動盤上面とその上のカバー２との間隙に十分に収まり、また突出ストロークの変更ごとに位置変えを要する前スイッチ１９は、可動盤１１の上面より上に設置されているので、位置の移動を目覗しながら行うことができ、ホルダー２１の外側に移動用の目盛りを施した場合には、その目盛りにより後退限位置から設定位置までの突出ストロークを確認することができる。
【００１７】
したがって、金型交換ごとに行われる突出ストロークの変更に際してカバー２が障害とならず、可動盤１１の背面に前後一対の位置検出スイッチを配設した場合の不都合が解決されるので、必要に応じて突出ストロークの変更を短時間で確実に行い得るようになる。
【図面の簡単な説明】
【図１】この発明に係わる突出装置を備えた型締装置の前部の一部縦断側面図である。
【図２】可動盤の部分背面図である。
【図３】同上の部分平面図である。
【図４】前部スイッチのホルダー側面図である。
【図５】従来の突出装置を備えた型締装置の側面図である。
【符号の説明】
２      カバー
４      安全ドア
１１      可動盤
１２      突出ロッド
１３      型締ラム
１４      連結ブロック
１５      スイッチ作動部材
１５ａ，１５ｂ    接近片
１６      支持ポスト
１７      ガイドロッド
１８      突出ピストン
１９      前部スイッチ
２０      後部スイッチ
２１      前部スイッチのホルダー
２２      後部スイッチのホルダー
２４      調節穴
２５      座板
２６      固定ねじ
【図１】
2004160680.tif 000003
【図２】
2004160680.tif 000004
【図３】
2004160680.tif 000005
【図４】
2004160680.tif 000006
【図５】
2004160680.tif 000007